(57)【要約】【課題】無線通信端末が障害物によって漏洩伝送路や送受信アンテナを見通せなくなる事態を極力避けるとともに受信信号による受信処理をより確実に行う。しかも、障害物のレイアウト変更があっても漏洩伝送路の配置変更を極力避ける。【解決手段】無線通信エリア１内に第１、第２の漏洩伝送路２、３を互いに中央部近傍で略直交して交差するように配置する。各漏洩伝送路２、３は、一端に給電部２ａ，３ａを接続し、他端に終端器２ｂ，３ｂを接続し、給電部２ａ，３ａをそれぞれ同軸ケーブル４、５を経由して基地局６に接続する。無線通信エリア１内に配置された無線通信端末８ａ〜８ｈは、棚などの障害物７ａ〜７ｇがあっても、少なくとも１つの漏洩伝送路は見通すことが可能になる。【選択図】      図１
2006279985.tif 000002
【特許請求の範囲】
【請求項１】
無線通信エリア内において無線通信端末から見てそれぞれ異なる方向に配置された複数の漏洩伝送路と、この各漏洩伝送路を介して前記無線通信端末と無線通信を行う基地局とからなり、
前記基地局は、１つの無線通信端末からの信号を複数の漏洩伝送路を介して受信し、受信レベルの高い方の受信信号を選択して受信処理することを特徴とする無線通信システム。
【請求項２】
複数の漏洩伝送路は無線通信エリア内において互いに略直交して交差するように配置したことを特徴とする請求項１記載の無線通信システム。
【請求項３】
基地局は、受信信号の受信レベルが予め設定した閾値を低下した場合に、１つの無線通信端末からの信号を複数の漏洩伝送路を介して受信し、受信レベルの高い方の受信信号を選択して受信処理することを特徴とする請求項１記載の無線通信システム。
【請求項４】
基地局は、無線通信端末毎にどの漏洩伝送路を使用して無線通信を行うか設定し、通信開始時にはこの設定に基づいて漏洩伝送路を選択して信号を受信することを特徴とする請求項１記載の無線通信システム。
【請求項５】
無線通信エリア内において無線通信端末から見て異なる方向に配置された漏洩伝送路及び送受信アンテナと、この漏洩伝送路及び送受信アンテナを介して前記無線通信端末と無線通信を行う基地局とからなり、
前記基地局は、１つの無線通信端末からの信号を漏洩伝送路及び送受信アンテナの両方を介して受信し、受信レベルの高い方の受信信号を選択して受信処理することを特徴とする無線通信システム。
【請求項６】
基地局は、受信信号の受信レベルが予め設定した閾値を低下した場合に、１つの無線通信端末からの信号を漏洩伝送路及び送受信アンテナの両方を介して受信し、受信レベルの高い方の受信信号を選択して受信処理することを特徴とする請求項５記載の無線通信システム。
【請求項７】
基地局は、無線通信端末毎に漏洩伝送路を使用して無線通信を行うか、送受信アンテナを使用して無線通信を行うかを設定し、通信開始時にはこの設定に基づいて漏洩伝送路あるいは送受信アンテナを選択して信号を受信することを特徴とする請求項５記載の無線通信システム。
【発明の詳細な説明】
【技術分野】
【０００１】
本発明は、無線通信エリア内に漏洩伝送路や送受信アンテナを配置し、基地局が無線通信端末と無線通信を行う無線通信システムに関する。
【背景技術】
【０００２】
従来、漏洩ケーブルを使用したアンテナ装置として、１本の漏洩ケーブルの一端を第１の切替器によって送受信器と第１の終端抵抗に選択的に接続できるようにし、漏洩ケーブルの他端を第２の切替器によって送受信器と第２の終端抵抗に選択的に接続できるようにし、漏洩ケーブルの一端を第１の切替器によって送受信器に接続するときには他端を第２の切替器によって第２の終端抵抗に接続し、漏洩ケーブルの他端を第２の切替器によって送受信器に接続するときには一端を第１の切替器によって第１の終端抵抗に接続し、これにより、漏洩ケーブルにおける電波不感帯を避けるものが知られている。また、２本の漏洩ケーブルを並行に配置し、第１の漏洩ケーブルの一端を、切替器を介して送受信器に接続するとともに他端を第１の終端抵抗に接続し、第１の漏洩ケーブルの一端と同じ側の第２の漏洩ケーブルの一端を第２の終端抵抗に接続するとともに他端を切替器を介して送受信器に接続し、これにより、漏洩ケーブルにおける電波不感帯を避けるものが知られている。（例えば、特許文献１参照）。
【特許文献１】特開平０８−２９８４７３号公報
【発明の開示】
【発明が解決しようとする課題】
【０００３】
しかし、このように１本の漏洩ケーブルの給電端と終端を切替えるものや、給電端と終端を互いに逆にして並行配置した２本の漏洩ケーブルを切替器で選択するものでは、漏洩ケーブル近傍の電波不感帯を避けることはできても、この漏洩ケーブルを介して送受信器と無線通信を行う無線通信端末が漏洩ケーブルと離れた位置にあり、しかも、間に障害物があって無線通信端末から漏洩ケーブルが見通せなくなると、送受信器が無線通信端末と通信ができなくなるという問題があった。また、棚などの障害物が配置された場所において、当初は無線通信端末から漏洩ケーブルが見通せるようになっていても、障害物のレイアウト変更によって漏洩ケーブルの見通しが悪くなると漏洩ケーブルの配置を変更しなければならない面倒があった。
【０００４】
本発明は、無線通信端末が障害物によって漏洩伝送路や送受信アンテナを見通せなくなる事態を極力避けることができるとともに受信信号による受信処理をより確実に行うことができ、これにより、基地局は無線通信端末と確実に無線通信することができ、しかも、障害物のレイアウト変更があっても漏洩伝送路の配置変更を極力避けることができる無線通信システムを提供する。
【課題を解決するための手段】
【０００５】
本発明は、無線通信エリア内において無線通信端末から見てそれぞれ異なる方向に配置された漏洩同軸ケーブルや漏洩導波管からなる複数の漏洩伝送路と、この各漏洩伝送路を介して無線通信端末と無線通信を行う基地局とからなり、基地局は、１つの無線通信端末からの信号を複数の漏洩伝送路を介して受信し、受信レベルの高い方の受信信号を選択して受信処理することにある。
【発明の効果】
【０００６】
本発明によれば、無線通信端末が障害物によって漏洩伝送路や送受信アンテナを見通せなくなる事態を極力避けることができるとともに受信信号による受信処理をより確実に行うことができ、これにより、基地局は無線通信端末と確実に無線通信することができる。しかも、障害物のレイアウト変更があっても漏洩伝送路の配置変更を極力避けることができる。
【発明を実施するための最良の形態】
【０００７】
以下、本発明の実施の形態を、図面を参照して説明する。  
（第１の実施の形態）
図１に示すように、無線通信エリア１内に第１、第２の２本の漏洩伝送路２、３を互いに中央部近傍で略直交して交差するように配置している。前記各漏洩伝送路２、３は、例えば、漏洩同軸ケーブルや漏洩導波管からなる。
【０００８】
前記各漏洩伝送路２、３は、一端に給電部２ａ，３ａを接続し、他端に終端器２ｂ，３ｂを接続し、給電部２ａ，３ａをそれぞれ同軸ケーブル４、５を経由して基地局６に接続している。
【０００９】
前記無線通信エリア１内には棚などの複数の障害物７や複数の無線通信端末８が配置されている。例えば、第１の漏洩伝送路２を図中縦方向に配置し、第２の漏洩伝送路３を図中横方向に配置した場合、第１の漏洩伝送路２の左側で第２の漏洩伝送路３の上側には、障害物７ａ，７ｂが第１の漏洩伝送路２と並行に所定の間隔を隔てて配置され、かつ、障害物７ａと７ｂとの間に無線通信端末８ａが配置され、障害物７ｂの反対側に無線通信端末８ｂが配置されている。また、第１の漏洩伝送路２の左側で第２の漏洩伝送路３の下側には、障害物７ｃ，７ｄが第１の漏洩伝送路２と並行に所定の間隔を隔てて配置され、かつ、障害物７ｃと７ｄとの間に無線通信端末８ｃが配置され、障害物７ｄの反対側に無線通信端末８ｄが配置されている。
【００１０】
また、第１の漏洩伝送路２の右側には、３個の障害物７ｅ、７ｆ、７ｇが第２の漏洩伝送路３と並行に所定の間隔を隔てて配置されている。なお、障害物７ｆは第２の漏洩伝送路３の真下に位置して配置されている。そして、障害物７ｅと７ｆとの間に無線通信端末８ｅが配置され、障害物７ｆと７ｇとの間に無線通信端末８ｆが配置され、障害物７ｅの反対側に無線通信端末８ｇが配置され、障害物７ｇの反対側に無線通信端末８ｈが配置されている。
【００１１】
前記基地局６は、図２に示すように、制御部１１、記憶部１２、受信機１３、送信機１４、第１、第２の送受信切替器１５、１６及びアンテナ切替器１７を備え、前記第１の漏洩伝送路２からの同軸ケーブル４を第１のアンテナ端子１８に接続し、前記第２の漏洩伝送路３からの同軸ケーブル５を第２のアンテナ端子１９に接続している。
【００１２】
前記第１のアンテナ端子１８は前記第１の送受信切替器１５の共通接点１５ｃに接続し、前記第２のアンテナ端子１９は前記第２の送受信切替器１６の共通接点１６ｃに接続している。そして、前記第１のアンテナ端子１８に入力した受信信号を前記第１の送受信切替器１５の第１接点１５ａ及び第１の受信用増幅器２０を介して前記受信機１３に供給し、前記第２のアンテナ端子１９に入力した受信信号を前記第２の送受信切替器１６の第１接点１６ａ及び第２の受信用増幅器２１を介して前記受信機１３に供給している。
【００１３】
前記制御部１１は、受信時には第１、第２の送受信切替器１５、１６の共通接点１５ｃ、１６ｃを第１接点１５ａ、１６ａに切替え制御する。これにより、前記第１のアンテナ端子１８に入力した受信信号は第１の送受信切替器１５及び第１の受信用増幅器２０を介して受信機１３に供給される。また、前記第２のアンテナ端子１９に入力した受信信号は第２の送受信切替器１６及び第２の受信用増幅器２１を介して受信機１３に供給される。
【００１４】
前記受信機１３は、通信開始時において同一の無線通信端末８からの信号を第１、第２のアンテナ端子１８、１９から同時に取込み、その各受信信号の受信レベルを比較し受信レベルが高い方の受信信号を選択して受信処理を行い、そして、前記制御部１１にどちらのアンテナ端子からの受信信号を使用して受信処理を行ったかを通知するようになっている。なお、無線通信端末８から信号には無線通信端末を特定するＩＤやアドレス等が含まれている。
【００１５】
前記制御部１１は、送信時には第１、第２の送受信切替器１５、１６の共通接点１５ｃ、１６ｃを第２接点１５ｂ、１６ｂに切替え制御する。また、直前に受信処理をしていた受信信号を入力していたアンテナ端子を選択するようにアンテナ切替器１７を切替え制御する。すなわち、前記送信機１４から送信信号を第１のアンテナ端子１８に送出させるときには、アンテナ切替器１７の共通接点１７ｃを第１接点１７ａに接続し、また、前記送信機１４から送信信号を第２のアンテナ端子１９に送出させるときには、アンテナ切替器１７の共通接点１７ｃを第２接点１７ｂに接続する。前記送信機１４からの送信信号は送信用増幅器２２で増幅された後に前記アンテナ切替器１７に供給されるようになっている。
【００１６】
このような構成においては、基地局６は、受信時には、制御部１１によって第１の送受信切替器１５の共通接点１５ｃを第１接点１５ａに接続するとともに第２の送受信切替器１６の共通接点１６ｃを第１接点１６ａに接続する。この状態で、同一の無線通信端末８、例えば、無線通信端末８ｆからの信号を第１の漏洩伝送路２を経由して受信するとともに第２の漏洩伝送路３を経由して受信すると、受信レベルの高い方の漏洩伝送路を選択する。
【００１７】
すなわち、基地局６においては、第１の漏洩伝送路２が受信した受信信号を、同軸ケーブル４→第１のアンテナ端子１８→第１の送受信切替器１５の共通接点１５ｃ、第１接点１５ａ→第１の受信用増幅器２０の順に経由して受信機１３に入力し、また、第２の漏洩伝送路３が受信した受信信号を、同軸ケーブル５→第２のアンテナ端子１９→第２の送受信切替器１６の共通接点１６ｃ、第１接点１６ａ→第２の受信用増幅器２１の順に経由して受信機１３に入力する。そして、受信機１３は２つの受信信号の受信レベルを比較し、受信レベルの高い方のアンテナ端子を選択する。例えば、第１のアンテナ端子１８からの受信信号の受信レベルが高ければ、受信機１３はこの受信信号を選択して受信処理を行い、どちらのアンテナ端子の受信信号を選択して受信処理を行ったかを制御部１１に通知する。
【００１８】
このように、無線通信エリア１内に２本の漏洩伝送路２、３を互いに中央部近傍で略直交して交差するように配置しているので、無線通信端末８から見た場合にいずれかの方向に漏洩伝送路を見通すことができる確率は高くなる。換言すれば、無線通信端末８が障害物によって漏洩伝送路を見通せなくなる事態を極力避けることができる。しかも、１つの無線通信端末８からの信号をそれぞれ漏洩伝送路２、３を介して受信し、受信機１３において受信レベルの高い方の信号を選択して受信処理を行うので、受信信号による受信処理をより確実に行うことができる。
【００１９】
なお、ここでは、受信機１３において受信信号の受信レベルを比較するのを受信開始時において行うようにしたがこれに限定するものではなく、定期的に受信レベルの比較を行ってもよい。また、予め受信レベルの閾値を設定しておき、途中で受信レベルが閾値以下になったときに受信レベルの比較を行うようにしてもよい。閾値を使用した場合には定期的に受信レベルを比較する場合に比べてアンテナ切替器１７の切替え回数を少なくできる。
【００２０】
また、基地局６は、送信時には、制御部１１によってアンテナ切替器１７を切替え制御するが、このときには、直前の受信において選択していた側のアンテナ端子を選択するようにする。例えば、直前に第１のアンテナ端子１８の受信信号を選択して受信処理を行ったならば、アンテナ切替器１７の共通接点１７ｃを第１接点１７ａに接続する。そして、送信機１４からの送信信号を送信用増幅器２２で増幅し、アンテナ切替器１７、第１の送受信切替器１５を介して第１のアンテナ端子１８に出力する。そして、送信信号は第１のアンテナ端子１８から同軸ケーブル４を介して第１の漏洩伝送路２に送信され、この漏洩伝送路２から該当する無線通信端末８に無線送信される。
【００２１】
また、無線通信エリア１内に２本の漏洩伝送路２、３を互いに中央部近傍で略直交して交差するように配置しているので、障害物のレイアウト変更があっても漏洩伝送路の配置変更を極力避けることができる。例えば、無線通信エリア１内に第１、第２の漏洩伝送路２、３及び複数の障害物７、複数の無線通信端末８が図３に示すように配置されている状態で、複数の障害物７を図４に示すように並びの方向を９０°変えるレイアウト変更した場合、各障害物７のレイアウト変更に合わせて各無線通信端末８の配置を換える必要は有るが、第１、第２の漏洩伝送路２、３については配置を変更する必要はない。そして、レイアウト変更後も各無線通信端末８は２本の漏洩伝送路２、３のいずれかを見通せる状態は維持される。
【００２２】
また、図１に示すレイアウトにおいて、各無線通信端末８ａ〜８ｈが固定式あるいは半固定式のものであれば、各無線通信端末８ａ〜８ｈと各障害物７ａ〜７ｇと第１、第２の漏洩伝送路２、３との位置関係が固定されるので、このような場合には、基地局６の記憶部１２に予めどの無線通信端末がどの漏洩伝送路を使用して無線通信を行うかの関係を決めたテーブルを用意し、通信の開始時にはこのテーブルのデータに基づいてどちらのアンテナ端子からの受信信号を選択するかを決めるようにしてもよい。
【００２３】
すなわち、無線通信端末８ａ〜８ｈ毎に受信レベルの高い方のアンテナ端子を予め調べ、図５に示すように無線通信端末８ａ〜８ｈとアンテナ端子１８，１９との対応関係を設定した設定テーブル１２ａを記憶部１２に格納しておく。  
このようにすれば、通信開始時には、受信機１３において受信レベルの比較を行う必要が無く、受信機１３は無線通信端末から信号を受信したときには設定テーブル１２ａのデータに基づいて受信信号を入力するアンテナ端子を直ちに選択して受信処理を開始することができる。これにより、迅速な受信開始ができる。
【００２４】
なお、設定テーブル１２ａを使用したものにおいて、予め受信レベルの閾値を設定しておき、受信機１３において受信信号の受信レベルが閾値以下になったことを検出したときには、この受信機１３において改めて受信信号の受信レベルを比較してアンテナ端子の選択を行うようにしてもよい。その場合に、設定テーブル１２ａの該当する部分のデータを比較結果に基づいて書き換えるようにしてもよい。
【００２５】
（第２の実施の形態）
この実施の形態は、基地局６の変形例について述べる。なお、全体の構成は図１と同様である。また、基地局６の構成において図２と同一の部分には同一の符号を付し詳細な説明は省略する。
【００２６】
図６に示すように、この基地局６は第１、第２の送受信切替器１５、１６に代えて送受信切替器２３を使用し、アンテナ切替器１７に代えてアンテナ切替器２４を使用している。すなわち、第１のアンテナ端子１８は前記アンテナ切替器２４の第１接点２４ａに接続し、第２のアンテナ端子１９は前記アンテナ切替器２４の第２接点２４ｂに接続している。そして、前記アンテナ切替器２４の共通接点２４ｃを前記送受信切替器２３の共通接点２３ｃに接続し、前記送受信切替器２３の第１接点２３ａを受信用増幅器２０の入力端子に接続し、前記送受信切替器２３の第２接点２３ｂを送信用増幅器２２の出力端子に接続している。
【００２７】
制御部１１１は送受信によって前記送受信切替器２３を切替え制御し、受信レベル判定時にはアンテナ切替器２４を切替え制御する。すなわち、制御部１１１は、受信開始時には送受信切替器２３の共通接点２３ｃを第１接点２３ａに接続する。そして、先ず、アンテナ切替器２４の共通接点２４ｃを第１接点２４ａに接続する。これにより、先ず第１の漏洩伝送路２が無線通信端末８から受信した受信信号が第１のアンテナ端子１８からアンテナ切替器２４、送受信切替器２３、受信用増幅器２０を介して受信機１３１に入力される。
【００２８】
受信機１３１はこのときの受信信号の受信レベルを検出し、制御部１１１に通知する。制御部１１１は取り込んだ該当する無線通信端末８の受信レベルを記憶部１２に記憶する。続いて、制御部１１１はアンテナ切替器２４を切替え制御して共通接点２４ｃを第２接点２４ｂに接続する。これにより、第２の漏洩伝送路３が該当する無線通信端末８から受信した受信信号が第２のアンテナ端子１９からアンテナ切替器２４、送受信切替器２３、受信用増幅器２０を介して受信機１３１に入力される。
【００２９】
受信機１３１はこのときの受信信号の受信レベルを検出し、制御部１１１に通知する。制御部１１１は取り込んだ該当する無線通信端末８の受信レベルを記憶部１２に記憶する。そして、前回取り込んだ受信レベルと今回取り込んだ受信レベルを比較し、受信レベルの高い方を判定し、この判定に基づいて入力端子を第１のアンテナ端子１８にするか第２のアンテナ端子１９にするかを選択する。例えば、前回取り込んだ受信レベルの方が高ければ、アンテナ切替器２４を第１のアンテナ端子１８を選択するように切替える。以降、受信機１３１は該当する無線通信端末８からの受信信号を第１のアンテナ端子１８から入力し、この受信信号を受信処理する。
【００３０】
このような構成の基地局６においても、１つの無線通信端末８からの信号をそれぞれの漏洩伝送路２、３を介して受信し、制御部１１１において受信レベルの高い方のアンテナ端子を選択してから受信機１３１が受信処理を行うので、受信信号による受信処理をより確実に行うことができる。
【００３１】
なお、ここでは、制御部１１１において受信信号の受信レベルを比較するのを受信開始時において行うようにしたがこれに限定するものではなく、定期的に行ってもよい。また、予め受信レベルの閾値を設定しておき、途中で受信レベルが閾値以下になったときに受信レベルの比較を行うようにしてもよい。
【００３２】
また、基地局６は、送信時には、制御部１１１によって送受信切替器２３を切替え、共通接点２３ｃを第２接点２３ｂに接続する。また、アンテナ切替器２４については直前の受信において選択していた側のアンテナ端子を選択するようにする。例えば、直前に第１のアンテナ端子１８の受信信号を選択して受信処理を行ったならば、アンテナ切替器２４の共通接点２４ｃを第１接点２４ａに接続する。そして、送信機１４からの送信信号を送信用増幅器２２で増幅し、送受信切替器２３、アンテナ切替器２４を介して第１のアンテナ端子１８に出力する。そして、送信信号は第１のアンテナ端子１８から同軸ケーブル４を介して第１の漏洩伝送路２に送信され、この漏洩伝送路２から該当する無線通信端末８に無線送信される。  
なお、この実施の形態においても第１、第２の漏洩伝送路２、３の配置については前述した実施の形態と同様であり、従って、同様の作用効果が得られるのは勿論である。
【００３３】
なお、前述した各実施の形態では２本の漏洩伝送路を互いに中央部近傍で略直交して交差するように配置したものについて述べたがこれに限定するものではない。例えば、図７の(a)に示すように３本の漏洩伝送路３１，３２，３３を使用し、１本の漏洩伝送路３１と互いに所定の間隔離れて並行に配置される２本の漏洩伝送路３２，３３を略直交して交差するように配置したものであっても、また、図７の(b)に示すように４本の漏洩伝送路３４，３５，３６，３７を使用し、互いに所定の間隔離れて並行に配置される２本の漏洩伝送路３４，３５と互いに所定の間隔離れて並行に配置される２本の漏洩伝送路３６，３７を略直交して交差するように配置したものであってもよい。
【００３４】
また、図７の(c)に示すように２本の漏洩伝送路３８，３９を使用し、この２本の漏洩伝送路３８，３９を互いに中央部近傍で斜めに交差するように配置したものであっても、また、図７の(d)に示すように２本の漏洩伝送路４０，４１を使用し、１本の漏洩伝送路４０に対して残りの１本の漏洩伝送路４１を蛇行させ、かつ、漏洩伝送路４０に対して漏洩伝送路４１が蛇行する毎に略直交して交差するように配置したものであってもよい。  
また、図７の(e)に示すように２本の漏洩伝送路４２，４３を使用し、１本の漏洩伝送路４２を蛇行して配置し、もう１本の漏洩伝送路４３を直線状にして漏洩伝送路４２に対して並設するように配置したものであってもよい。  
なお、使用する漏洩伝送路の本数も２本〜４本に限定するものでないのは勿論である。
【００３５】
（第３の実施の形態）
この実施例は漏洩伝送路と送受信アンテナを組み合わせたものについて述べる。  
図８に示すように、無線通信エリア１内に１本の漏洩伝送路５１を配置し、この漏洩伝送路５１から離れた位置に送受信アンテナ５２を配置している。前記漏洩伝送路５１は、一端に給電部５１ａを接続し、他端に終端器５１ｂを接続し、給電部５１ａを、同軸ケーブル５３を経由して基地局６に接続している。なお、前記基地局６は、図２と同一構成になっている。また、前記送受信アンテナ５２を、同軸ケーブル５４を経由して前記基地局６に接続している。すなわち、同軸ケーブル５３を基地局６の第１のアンテナ端子１８に接続し、同軸ケーブル５４を前記基地局６の第２のアンテナ端子１９に接続している。
【００３６】
前記漏洩伝送路５１を間にして、例えば４台の棚などの障害物５５ａ，５５ｂ，５５ｃ，５５ｄを、２台ずつ所定の間隔離れて対向配置している。すなわち、漏洩伝送路５１を間にして障害物５５ａと５５ｃが対向位置し、障害物５５ｂと５５ｄが対向配置している。そして、障害物５５ａと５５ｃとの対向した部位に無線通信端末５６ａと５６ｂを配置し、障害物５５ｂと５５ｄとの対向した部位に無線通信端末５６ｃと５６ｄを配置し、前記障害物５５ｃ、５５ｄにおける無線通信端末５６ｂ、５６ｄの配置側とは反対側の部位に無線通信端末５６ｅと５６ｆを配置している。すなわち、前記無線通信端末５６ｅと５６ｆは障害物５５ｃ、５５ｄと送受信アンテナ５２の間の部位に配置されている。
【００３７】
このような構成においては、無線通信端末５６ａ〜５６ｄは漏洩伝送路５１を確実に見通せるので、この漏洩伝送路５１及び同軸ケーブル５３を経由して基地局６と無線通信ができる。また、無線通信端末５６ｅと５６ｆは漏洩伝送路５１と送受信アンテナ５２を異なる方向に見ることになる。そして、漏洩伝送路５１を見通すことができればこの漏洩伝送路５１及び同軸ケーブル５３を経由して基地局６と無線通信が可能になる。また、無線通信端末５６ｅと５６ｆは送受信アンテナ５２も見通せるので、この送受信アンテナ５２及び同軸ケーブル５４を経由して基地局６と無線通信することも可能になる。
【００３８】
そこで、基地局６は、無線通信端末５６ｅと５６ｆからの信号を受信するときには、漏洩伝送路５１及び同軸ケーブル５３を経由して第１のアンテナ端子１８からの受信信号の受信レベルと送受信アンテナ５２及び同軸ケーブル５４を経由して第２のアンテナ端子１９からの受信信号の受信レベルを受信機１３で比較し、受信レベルの高い方のアンテナ端子を選択する。例えば、送受信アンテナ５２及び同軸ケーブル５４を経由して第２のアンテナ端子１９からの受信信号の受信レベルが高ければ、第２のアンテナ端子１９を選択し、この第２のアンテナ端子１９からの受信信号を受信処理する。
【００３９】
ところで、障害物が多数配置されているエリアでは漏洩伝送路５１が有効となり、また、障害物があまり配置されていないエリアでは送受信アンテナ５２が有効となる。従って、障害物が多数配置されているエリアと障害物があまり配置されていないエリアとが混在している場合には、漏洩伝送路と送受信アンテナとの組み合わせが有効となる。この組み合わせによって通信エリアを広くすることができる。
【００４０】
このように、漏洩伝送路と送受信アンテナとを組み合わせた場合においても、無線通信端末８から見た場合にいずれかの方向に漏洩伝送路５１あるいは送受信アンテナ５２を見通すことができる確率が高くなる。しかも、無線通信端末５６ｅあるいは５６ｆからの信号を漏洩伝送路５１あるいは送受信アンテナ５２を介して受信し、受信機において受信レベルの高い方の信号を選択して受信処理を行うので、受信信号による受信処理をより確実に行うことができる。  
なお、受信機における受信レベルの比較を、受信開始時に行っても、定期的に行っても、或いは閾値を設け、受信レベルがこの閾値以下になったときに行ってもよい。
【００４１】
（第４の実施の形態）
この実施例も漏洩伝送路と送受信アンテナを組み合わせたものについて述べる。  
図９に示すように、無線通信エリア１内に第１、第２の２本の漏洩伝送路６１、６２を互いに中央部近傍で略直交して交差するように配置している。前記各漏洩伝送路６１、６２は、一端に給電部６１ａ，６２ａを接続し、他端に終端器６１ｂ，６２ｂを接続し、給電部６１ａ，６２ａをそれぞれ同軸ケーブル６４、６５を経由して基地局６６に接続している。
【００４２】
また、無線通信エリア１内の漏洩伝送路６２から離れた、漏洩伝送路６１の終端器６１ｂの後方に位置して送受信アンテナ６３を配置している。前記送受信アンテナ６３は同軸ケーブル６７を経由して前記基地局６６に接続している。
【００４３】
前記無線通信エリア１内には、例えば、第１の漏洩伝送路６１を図中縦方向に配置し、第２の漏洩伝送路６２を図中横方向に配置する。そして、第１の漏洩伝送路６１の左側で第２の漏洩伝送路６２の上側には、障害物６８ａ，６８ｂを第１の漏洩伝送路６１と並行に所定の間隔を隔てて配置し、障害物６８ａの漏洩伝送路６１側には無線通信端末６９ａを配置し、障害物６８ａと６８ｂとの間に無線通信端末６９ｂを配置し、障害物６８ｂの反対側に無線通信端末６９ｃを配置している。
【００４４】
また、第１の漏洩伝送路６１の左側で第２の漏洩伝送路６２の下側には、障害物６８ｃを第２の漏洩伝送路６２と並行に配置し、障害物６８ｃの漏洩伝送路６２側には無線通信端末６９ｄを配置し、反対側には無線通信端末６９ｅを配置している。
【００４５】
また、第１の漏洩伝送路２の右側で第２の漏洩伝送路６２の上側には、障害物６８ｄ，６８ｅを第１の漏洩伝送路６１と並行に所定の間隔を隔てて配置し、障害物６８ｄの漏洩伝送路６１側には無線通信端末６９ｆを配置し、障害物６ｄと６８ｅとの間に無線通信端末６９ｇを配置し、障害物６８ｅの反対側に無線通信端末６９ｈを配置している。
【００４６】
また、第１の漏洩伝送路６１の右側で第２の漏洩伝送路６２の下側には、障害物６８ｆを第２の漏洩伝送路６２と並行に配置し、障害物６８ｆの漏洩伝送路６２側には無線通信端末６９ｉを配置し、反対側には無線通信端末６９ｊを配置している。
【００４７】
この実施の形態では、無線通信エリア１内に２本の漏洩伝送路６１、６２を互いに中央部近傍で略直交して交差するように配置しているので、無線通信端末６９から見た場合にいずれかの方向に漏洩伝送路を見通すことができる確率は高くなる。そして、さらに漏洩伝送路６２から離れた、漏洩伝送路６１の終端器６１ｂの後方に位置して送受信アンテナ６３を配置しているので、たとえ漏洩伝送路を見通すことができない無線通信端末６９があっても、送受信アンテナ６３によってカバーすることができる。
【００４８】
また、基地局６６は、同一の無線通信端末６９からの信号を第１の漏洩伝送路６１で受信したときの受信レベルと、第２の漏洩伝送路６２で受信したときの受信レベルと、送受信アンテナ６３で受信したときの受信レベルを比較し、最も高い受信レベルの受信信号を選択して受信処理を行う。従って、受信信号による受信処理をより確実に行うことができる。  
この場合の受信レベルの比較は、受信開始時に行うようにしても、定期的に行うようにしても、或いは閾値を設け、受信レベルがこの閾値以下になったときに行うようにしてもよい。
【００４９】
（第５の実施の形態）
この実施例も漏洩伝送路と送受信アンテナを組み合わせたものについて述べる。  
図１０に示すように、無線通信エリア１内を囲むように１本の漏洩伝送路７１を配置している。前記漏洩伝送路７１は、一端に給電部７１ａを接続し、他端に終端器７１ｂを接続し、給電部７１ａを、同軸ケーブル７２を経由して基地局６６に接続している。
【００５０】
無線通信エリア１内には、中央部を除いて、図中上側に４つの障害物７３ａ、７３ｂ、７３ｃ、７３ｄを２個ずつ並行に並べて配置し、図中下側に４つの障害物７３ｅ、７３ｆ、７３ｇ、７３ｈを２個ずつ並行に並べて配置している。障害部の無い中央部には図中上側に指向性を持った第１の送受信アンテナ７４を配置するとともに図中下側に指向性を持った第２の送受信アンテナ７５を配置している。
【００５１】
前記障害物７３ａと７３ｂとの間に無線通信端末７６ａを配置し、障害物７３ａにおけるその反対側には無線通信端末７６ｂを配置し、障害物７３ｂにおけるその反対側には無線通信端末７６ｃを配置している。前記障害物７３ｃと７３ｄとの間に無線通信端末７６ｄを配置し、障害物７３ｃにおけるその反対側には無線通信端末７６ｅを配置し、障害物７３ｄにおけるその反対側には無線通信端末７６ｆを配置している。
【００５２】
また、前記障害物７３ｅと７３ｆとの間に無線通信端末７６ｇを配置し、障害物７３ｅにおけるその反対側には無線通信端末７６ｈを配置し、障害物７３ｆにおけるその反対側には無線通信端末７６ｉを配置している。前記障害物７３ｇと７３ｈとの間に無線通信端末７６ｊを配置し、障害物７３ｇにおけるその反対側には無線通信端末７６ｋを配置し、障害物７３ｈにおけるその反対側には無線通信端末７６ｌを配置している。
【００５３】
このような構成においては、障害物が有っても各無線通信端末７６ａ〜７６ｌから漏洩伝送路７１あるいは送受信アンテナ７４、７５を見通すことができる確率は高い。従って、各無線通信端末７６ａ〜７６ｌは漏洩伝送路７１あるいは送受信アンテナ７４、７５を経由して基地局６６と確実に無線通信することができる。
【００５４】
また、基地局６６は、同一の無線通信端末７６からの信号を漏洩伝送路７１で受信したときの受信レベルと、第１の送受信アンテナ７４で受信したときの受信レベルと、第２の送受信アンテナ７５で受信したときの受信レベルを比較し、最も高い受信レベルの受信信号を選択して受信処理を行う。従って、受信信号による受信処理をより確実に行うことができる。  
この場合の受信レベルの比較は、受信開始時に行うようにしても、定期的に行うようにしても、或いは閾値を設け、受信レベルがこの閾値以下になったときに行うようにしてもよい。
【図面の簡単な説明】
【００５５】
【図１】本発明の、第１の実施の形態に係る漏洩伝送路の配置と障害物、無線通信端末との関系を示す図。
【図２】同実施の形態における基地局の構成を示すブロック図。
【図３】同実施の形態において障害物のレイアウト変更前の状態を示す図。
【図４】同実施の形態において障害物のレイアウト変更後の状態を示す図。
【図５】同実施の形態において無線通信端末とアンテナ端子との対応関係を設定した設定テーブルを使用する場合の設定テーブルの構成を示す図。
【図６】本発明の、第２の実施の形態に係る基地局の構成を示すブロック図。
【図７】本発明における漏洩伝送路の各種配置例を示す図。
【図８】本発明の、第３の実施の形態に係る漏洩伝送路及び送受信アンテナの配置と障害物、無線通信端末との関系を示す図。
【図９】本発明の、第４の実施の形態に係る漏洩伝送路及び送受信アンテナの配置と障害物、無線通信端末との関系を示す図。
【図１０】本発明の、第５の実施の形態に係る漏洩伝送路及び送受信アンテナの配置と障害物、無線通信端末との関系を示す図。
【符号の説明】
【００５６】
１…無線通信エリア、２，３…漏洩伝送路、６…基地局、８ａ〜８ｈ…無線通信端末。
【図１】
2006279985.tif 000003
【図２】
2006279985.tif 000004
【図３】
2006279985.tif 000005
【図４】
2006279985.tif 000006
【図５】
2006279985.tif 000007
【図６】
2006279985.tif 000008
【図７】
2006279985.tif 000009
【図８】
2006279985.tif 000010
【図９】
2006279985.tif 000011
【図１０】
2006279985.tif 000012
【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
無線通信エリア内において無線通信端末から見てそれぞれ異なる方向に配置された複数の漏洩伝送路と、この各漏洩伝送路を介して前記無線通信端末と無線通信を行う基地局とからなり、
前記基地局は、
１つの無線通信端末からの信号を複数の漏洩伝送路を介して受信し、
前記無線通信端末毎にどの漏洩伝送路を使用して無線通信を行うかを設定しておき、
通信開始時にはこの設定に基づいて漏洩伝送路を選択して信号を受信し、
受信信号の受信レベルが予め設定した閾値を低下した場合に、受信レベルの高い方の受信信号を選択して受信処理することを特徴とする無線通信システム。
【請求項２】
複数の漏洩伝送路は無線通信エリア内において互いに略直交して交差するように配置したことを特徴とする請求項１記載の無線通信システム。
【請求項３】
無線通信エリア内において互いに斜めに交差するように配置された複数の漏洩伝送路と、この各漏洩伝送路を介して前記無線通信端末と無線通信を行う基地局とからなり、
前記基地局は、１つの無線通信端末からの信号を複数の漏洩伝送路を介して受信し、受信レベルの高い方の受信信号を選択して受信処理することを特徴とする無線通信システム。
【請求項４】
基地局は、受信信号の受信レベルが予め設定した閾値を低下した場合に、１つの無線通信端末からの信号を複数の漏洩伝送路を介して受信することを特徴とする請求項３記載の無線通信システム。
【請求項５】
基地局は、無線通信端末毎にどの漏洩伝送路を使用して無線通信を行うか設定しておき、通信開始時にはこの設定に基づいて漏洩伝送路を選択して信号を受信することを特徴とする請求項３記載の無線通信システム。
【請求項６】
無線通信エリア内において無線通信端末から見て異なる方向に配置された漏洩伝送路及び送受信アンテナと、この漏洩伝送路及び送受信アンテナを介して前記無線通信端末と無線通信を行う基地局とからなり、
前記基地局は、
１つの無線通信端末からの信号を漏洩伝送路及び送受信アンテナの両方を介して受信し、
前記無線通信端末毎に前記漏洩伝送路を使用して無線通信を行うか、前記送受信アンテナを使用して無線通信を行うかを設定しておき、
通信開始時にはこの設定に基づいて漏洩伝送路あるいは送受信アンテナを選択して信号を受信し、
受信信号の受信レベルが予め設定した閾値を低下した場合に、受信レベルが高い方の受信信号を選択して受信処理することを特徴とする無線通信システム。
【手続補正２】
【補正対象書類名】明細書
【補正対象項目名】０００５
【補正方法】変更
【補正の内容】
【０００５】
本発明は、無線通信エリア内において無線通信端末から見てそれぞれ異なる方向に配置された漏洩同軸ケーブルや漏洩導波管からなる複数の漏洩伝送路と、この各漏洩伝送路を介して無線通信端末と無線通信を行う基地局とからなり、基地局は、１つの無線通信端末からの信号を複数の漏洩伝送路を介して受信し、無線通信端末毎にどの漏洩伝送路を使用して無線通信を行うかを設定しておき、通信開始時にはこの設定に基づいて漏洩伝送路を選択して信号を受信し、受信信号の受信レベルが予め設定した閾値を低下した場合に、受信レベルの高い方の受信信号を選択して受信処理することにある。